(57)【要約】      （修正有）【課題】ジェット洗浄作業時の作業者の安全を確保すると共に動き易く作業し易い快適なジェット洗浄用防護強化服を提供する。【解決手段】ジェット洗浄用防護強化服１を着衣時に着衣者の身体１１の前面１１ａ側となる表地１３と着衣者の身体１１の背面１１ｂ側となる裏地１５とで作る。前記表地１３は、水の透過しない合成樹脂製の雨合羽生地２１と雨合羽生地２１の間に挟まれた高強度ニット生地２３の三層構造となる一方、裏地１５を、前記合成樹脂製の雨合羽生地２１と同一の一層の雨合羽生地２１で作り衣服の水濡れをなくす。また、前記高強度ニット生地２３を、前記雨合羽生地２１によって全周が取り囲まれた密閉空間２５内の配置構造として、内部への水浸入を阻止し、水吸収が起きないようにする。【選択図】図３
0003151155.tif 000002
【実用新案登録請求の範囲】
【請求項１】
着衣時に着衣者の身体の前面側となる表地と着衣者の身体の背面側となる裏地とで作られたジェット洗浄用防護強化服であって、
前記表地は、水の透過しない合成樹脂製の雨合羽生地と雨合羽生地の間に挟まれた高強度ニット生地の三層で形成され、裏地は、前記合成樹脂製の雨合羽生地と同一の一層の雨合羽生地で作られる一方、前記高強度ニット生地は、前記雨合羽生地によって全周が取り囲まれた密閉空間内の配置構造になっていることを特徴とするジェット洗浄用防護強化服。
【考案の詳細な説明】
【技術分野】
【０００１】
本考案は高圧の洗浄水を用いて洗浄作業を行なう時に使用するジェット洗浄用防護強化服に関する。
【背景技術】
【０００２】
一般に例えば、石油・石油化学工場等のタンク内洗浄は噴射ノズルから高圧の洗浄水を噴射することで行なわれる。
【０００３】
タンク内を洗浄する洗浄水は高圧になるほど破壊力も比例して大きくなり効率のよい洗浄が可能となる。
【考案の概要】
【考案が解決しようとする課題】
【０００４】
洗浄水は前記した如く高圧になるほど破壊力も比例して大きくなりスラッジ等を落とす効率のよい洗浄が可能となる一方、噴射ノズルから噴射される高圧の洗浄水は一種の凶器となる。作業時に誤ってつまづいたり、何かに引っ掛かるなどして、噴射ノズルの方向が変わり、高圧の洗浄水が身体の一部分に噴射された際には大きな事故につながりかねない。
【０００５】
この場合、自動による機械洗浄を行なうことで危険から回避された洗浄作業が可能となるが、コストがかかることと、大・小のタンクに迅速に対応できないことと、人手によって作業を行なうようにタンク内部のきめ細かい洗浄ができないのが現状である。
【０００６】
そこで、本考案にあってはジェット洗浄作業中の作業者の安全を向上させると共に動き易く作業し易い快適なジェット洗浄用防護強化服を提供することを目的とする。
【課題を解決するための手段】
【０００７】
前記目的を達成するために本考案にあっては、着衣時に着衣者の身体の前面側となる表地と着衣者の身体の背面側となる裏地とで作られたジェット洗浄用防護強化服であって、
前記表地は、水の透過しない合成樹脂製の雨合羽生地と雨合羽生地の間に挟まれた高強度ニット生地の三層で形成され、裏地は、前記合成樹脂製の雨合羽生地と同一の一層の雨合羽生地で作られる一方、前記高強度ニット生地は、前記雨合羽生地によって全周が取り囲まれた密閉空間内の配置構造になっていることを特徴とする。
【考案の効果】
【０００８】
本考案によれば、作業時にジェット洗浄用防護強化服を身につけて、例えば、タンク内に入り、噴射ノズルから高圧の洗浄水を噴射することでタンク内のジェット洗浄作業を容易に行なうことができる。
【０００９】
このジェット洗浄作業中において、洗浄時の水滴が作業者にかかっても雨合羽生地によって水滴が内部へ直接浸入するのを確実に阻止し、衣服が濡れることなく快適に作業を進めることができる。
【００１０】
これまでの災害事例では身体の前面に高圧の洗浄水を受けるものが殆どである。誤って高圧の洗浄水が身体に噴射されたとしても身体の前面は三層構造の表地によって高圧の噴射水が身体に直接作用するのを阻止し、確実に安全を向上させることができる。
【００１１】
また、高圧の噴射圧から身を守る高強度ニット生地は水を通さない雨合羽生地で作られた密閉空間内の配置によって水を吸収することがなくなり、長時間にわたって安定した動き易い作業状態を得ることができる。しかも、生地の種類は雨合羽生地と高強度ニット生地の二種類で済むようになる。
【図面の簡単な説明】
【００１２】
【図１】本考案にかかるジェット洗浄用防護強化服の作業服を正面からみた概要説明図。
【図２】ジェット洗浄用防護強化服の作業ズボンを正面からみた概要説明図。
【図３】図２の作業ズボンの胴部分のＡ−Ａ線拡大説明用断面図。
【図４】図３のＤ部の拡大説明図。
【図５】図２の作業ズボンの足が入る部分のＢ−Ｂ線拡大説明用断面図。
【図６】図１の作業服の腕の部分のＣ−Ｃ線拡大説明用断面図。
【図７】手甲を示した概要説明図。
【図８】脚絆を示した概要説明図。
【考案を実施するための形態】
【００１３】
以下、図１乃至図６の図面を参照しながら本考案の実施形態について具体的に説明する。
【００１４】
図１は本考案にかかるジェット洗浄用防護強化服の作業服を正面からみた概要説明図、図２はジェット洗浄用防護強化服の作業ズボンを示した概要説明図、図３は図２のＡ−Ａ線拡大説明用断面図をそれぞれ示している。
【００１５】
ジェット洗浄用防護強化服１は、作業服３と作業ズボン５とにより組合せて使用するよう作られている。この場合、作業場所によっては作業服３だけ、あるいは作業ズボン５だけで使用することも可能で使い方は自由である。また、作業服３と作業ズボン５が一体形状に作られたものであってもよい。
【００１６】
作業服３は身体の上半身を覆う前身ごろとなる前面３ａと後身ごろとなる背面３ｂ（図面裏側）と両腕を通す両腕部３ｃとで形成され、前面３ａは金具を引張って開閉するファスナー７及び面状に着脱する面ファスナー７ａとによって開閉可能となっている。
【００１７】
作業ズボン５ははいた時に胸、腰、足の部分まで覆うサロペットタイプとなっていて、サスペンダー９によって支持される。足首の部分はゴム１０によって絞られ、下から水が直接入り込まない作りとなっている。この場合、作業ズボン５は必ずしもサロペットタイプでなくてもよく、腰及び足を覆うパンツタイプであってもよい。
【００１８】
一方、作業服３、作業ズボン５は図３に示す如く着衣時に着衣者の身体１１の前面１１ａ側となる表地１３と着衣者の身体１１の背面１１ｂ側となる裏地１５とで作られている。
【００１９】
ここでいう身体１１の前面１１ａとは、正面から見た時に見える身体の上半身及び下半身をさす。なお、腕１７の場合は、垂直に降ろした時に身体と接触し合う腕の内面が背面側となり、外側が前面側となる。
【００２０】
作業服３と作業ズボン５の表地１３及び裏地１５と、材質及び断面形状はいずれも同一構造となっていて、その具体的な断面形状を図３，図５，図６に示す。
【００２１】
図３は作業ズボン５の身体１１の胴の部分、図５は足１９の部分、図６は作業服３の腕１７の部分をそれぞれ示しており、いずれも同一構造のため、ここでは代表例として図３に基づき具体的に説明する。
【００２２】
表地１３は、水の透過しない、例えば、塩化ビニール等の合成樹脂で作られた雨合羽生地２１とその雨合羽生地２１と雨合羽生地２１の間に挟まれた高強度ニット生地２３からなる三層構造となっている。
【００２３】
高強度ニット生地２３は、密閉空間２５内に配置された配置構造となっていて、両端末は、図４に示す如くサンドイッチの状態で折り返された水密状態の閉じ合せ処理構造となっている。
【００２４】
高強度ニット生地２３の耐圧力は少なくとも３０ＭＰａに耐え得ると共に伸縮性を備え、高密度に織られたクラレのベクトラン（登録商標）ニット生地を使用している。
【００２５】
裏地１５は、前記表地１３で使用された雨合羽生地２１と同一の雨合羽生地２１で作られた一層構造となっている。
【００２６】
これにより、材料は雨合羽生地２１と高強度ニット生地２３の二種類とすることでコストの低減が図られている。
【００２７】
このように構成されたジェット洗浄用防護強化服１の作業服３、作業ズボン５を身につけることでタンク内のジェット洗浄作業を容易に行なえる。
【００２８】
このジェット洗浄作業時に洗浄時の水滴が身体にかかっても雨合羽生地２１によって水滴が内部へ浸入するのを確実に阻止し、衣服が直接濡れるのをなくして快適な洗浄作業を長時間にわたって続けられる。
【００２９】
一方、誤って高圧の洗浄水が身体に噴射されたとしても、身体の重要な部分となる前面は三層構造の表地１３によって高圧の噴射エネルギーが受け止められ安全が確保される。
【００３０】
同時に高強度ニット生地２３は、水を通さない雨合羽生地２１で作られて密閉空間２５内の配置によって水を吸収することがなくなり、長時間にわたって安定して動き易い作業状態が得られる。
【００３１】
なお、本考案を実施するにあたって、図７に示す如く手の部分を覆う手甲２７及び図８に示す如く足の部分を覆うように長ぐつの下にはく脚絆２９を用いて作業を進めることが安全性の面で大変望ましい。
【符号の説明】
【００３２】
１…ジェット洗浄用防護強化服
３…作業服
５…作業ズボン
１１…身体
１１ａ…前面
１１ｂ…背面
１３…表地
１５…裏地
２１…雨合羽生地
２３…高強度ニット生地
２５…密閉空間
【図１】
0003151155.tif 000003
【図２】
0003151155.tif 000004
【図３】
0003151155.tif 000005
【図４】
0003151155.tif 000006
【図５】
0003151155.tif 000007
【図６】
0003151155.tif 000008
【図７】
0003151155.tif 000009
【図８】
0003151155.tif 000010